(57)【要約】【課題】カーソルの移動や、ズーム、スクロールをより素早く実行させることで、画像閲覧時の操作効率を高める。【解決手段】この表示装置の制御部は、切替キーによってカーソルモードに切り替えられている状態でズームキーが操作されると、カーソルの現在位置をズーム中心として画像がズームされるように表示部を制御する。一方、切替キーによってスクロールモードに切り替えられている状態でズームキーが操作されると、制御部は、画面の中心をズーム中心として画像がズームされるように表示部を制御する。【選択図】      図４
2011204250.tif 000002
【特許請求の範囲】
【請求項１】
画面上に画像を表示する表示部と、
上下左右それぞれの移動方向を指示する移動方向キー及びズームを指示するズームキーを有するとともに、前記移動方向キーに対する操作に基づいて前記画像をスクロールさせるためのスクロールモード及び前記移動方向キーに対する操作に基づいて前記画像上のカーソルを移動させるためのカーソルモードとを切り替える切替キーを少なくとも有する操作部と、
前記操作部からの指示に基づいて前記表示部を制御する制御部とを備え、
前記制御部は、
前記切替キーによって前記カーソルモードに切り替えられている状態で前記ズームキーが操作されると、前記カーソルの現在位置をズーム中心として前記画像がズームされるように前記表示部を制御し、
前記切替キーによって前記スクロールモードに切り替えられている状態で前記ズームキーが操作されると、前記画面の中心をズーム中心として前記画像がズームされるように前記表示部を制御することを特徴とする表示装置。
【請求項２】
請求項１記載の表示装置において、
前記制御部は、
前記スクロールモード時には前記カーソルが非表示となるように前記表示部を制御し、
前記カーソルモード時には前記カーソルが表示されるように前記表示部を制御することを特徴とする表示装置。
【請求項３】
請求項１又は２記載の表示装置において、
前記制御部は、
前記カーソルモード時には前記画面上の画像表示領域以外に前記カーソルが移動しようとすると、当該移動に基づいて前記画像がスクロールするように、前記表示部を制御することを特徴とする表示装置。
【請求項４】
請求項１〜３の何れか１項に記載の表示装置において、
前記制御部は、
前記カーソルモード時に前記ズームキーが操作されると、前記画像がスクロールして前記カーソルの現在位置が前記画面の中心となってから前記画像がズームされるように、前記表示部を制御することを特徴とする表示装置。
【請求項５】
請求項１〜３の何れか１項に記載の表示装置において、
前記制御部は、
前記カーソルモード時に前記ズームキーが複数回操作されると、各操作毎に前記画像がズームされるとともに、当該ズーム毎に徐々に前記画像がスクロールして前記カーソルの現在位置が前記画面の中心となるように、前記表示部を制御することを特徴とする表示装置。
【請求項６】
請求項１〜３の何れか１項に記載の表示装置において、
前記制御部は、
前記カーソルモード時に前記ズームキーが操作されると、前記画像のスクロール及び前記カーソルの移動を禁止してから前記画像が前記カーソルを中心にしてズームされるように、前記表示部を制御することを特徴とする表示装置。
【請求項７】
請求項１〜６の何れか１項に記載の表示装置において、
前記制御部は、
前記スクロールモード時に前記切替キーが操作されて前記カーソルモードに切り替えられると、前記カーソルが前記画面の中心に表示されるように前記表示部を制御することを特徴とする表示装置。
【請求項８】
請求項１〜６の何れか１項に記載の表示装置において、
前記制御部は、
前記カーソルモード時に前記切替キーが操作されて前記スクロールモードに切り替えられた際の前記カーソルが位置する前記画面上の座標を記憶し、
前記スクロールモード時に前記切替キーが操作されて前記カーソルモードに切り替えられると、記憶している前記座標上に前記カーソルが表示されるように、前記表示部を制御することを特徴とする表示装置。
【請求項９】
請求項１〜６の何れか１項に記載の表示装置において、
前記制御部は、
前記カーソルモード時に前記切替キーが操作されて前記スクロールモードに切り替えられた際の前記カーソルが位置する前記画像上の座標を記憶し、
前記スクロールモード時に前記切替キーが操作されて前記カーソルモードに切り替えられると、記憶している前記画像上の座標が前記画面内に収まっているか否かを判断し、収まっている場合には前記座標上に、収まっていない場合には、前記画面内で前記座標に最も近い座標上に、前記カーソルが表示されるように前記表示部を制御することを特徴とする表示装置。
【請求項１０】
請求項１〜９の何れか１項に記載の表示装置において、
前記制御部は、
前記スクロールモード時に前記ズームキーが操作された直前に前記移動方向キーが操作されていた場合には、前記画面の中心から前記移動方向キーの操作に対応する方向にずらした位置をズーム中心として前記画像がズームされるように前記表示部を制御することを特徴とする表示装置。
【請求項１１】
請求項１〜１０の何れか１項に記載の表示装置において、
前記ズームキーは、ズームイン及びズームアウトの指示を入力可能であることを特徴とする表示装置。
【請求項１２】
請求項１〜１１の何れか１項に記載の表示装置と、
前記表示装置の前記画面となるマイクロミラー素子と、
前記マイクロミラー素子に対して光を照射することで、前記マイクロミラー素子上の画像を投影する投影部とを備えることを特徴とする投影装置。
【請求項１３】
上下左右それぞれの移動方向を指示する移動方向指示及びズームを指示するズーム指示、前記移動指示に基づいて前記画像をスクロールさせるためのスクロールモード及び前記移動指示に基づいて前記画像上のカーソルを移動させるためのカーソルモードを切り替える切替指示が入力される操作工程と、
前記操作工程からの入力内容に基づいて画面上に画像を表示する表示工程とを備え、
前記表示工程は、
前記操作工程により前記カーソルモードに切り替えられている状態で前記ズーム指示が入力されると、前記カーソルの現在位置をズーム中心として前記画像をズームする第１ズーム工程と、
前記操作工程により前記スクロールモードに切り替えられている状態で前記ズーム指示が入力されると、前記画面の中心をズーム中心として前記画像をズームする第２ズーム工程とを備えることを特徴とする表示方法。
【請求項１４】
上下左右それぞれの移動方向を指示する移動方向指示及びズームを指示するズーム指示、前記移動指示に基づいて前記画像をスクロールさせるためのスクロールモード及び前記移動指示に基づいて前記画像上のカーソルを移動させるためのカーソルモードを切り替える切替指示が入力される操作ステップと、
前記操作ステップからの入力内容に基づいて画面上に画像を表示する表示ステップとを備え、
前記表示ステップは、
前記操作ステップにより前記カーソルモードに切り替えられている状態で前記ズーム指示が入力されると、前記カーソルの現在位置をズーム中心として前記画像をズームする第１ズームステップと、
前記操作ステップにより前記スクロールモードに切り替えられている状態で前記ズーム指示が入力されると、前記画面の中心をズーム中心として前記画像をズームする第２ズームステップとを備えることを特徴とするプログラム。
【発明の詳細な説明】
【技術分野】
【０００１】
本発明は、表示装置、投影装置、表示方法及びプログラムに係り、特に、カーソル移動機能、ズーム機能、スクロール機能を有した表示装置、投影装置、表示方法及びプログラムに関する。
【背景技術】
【０００２】
従来、画面内に画像を表示する表示装置や、スクリーン等に画像を投影する投影装置においては、画像の一部を指し示すカーソルが画像上に表示されるようになっている。このカーソルを移動させるカーソル移動モードでは、装置本体に配置された操作キーや、リモコンの操作キーが操作されることによってカーソルが画面上を移動するようになっている。これらの操作キーは、画像をスクロールするためのスクロールモードや、画像を拡大／縮小するズームモードにおいても用いられるようになっている（例えば特許文献１参照）。
【先行技術文献】
【特許文献】
【０００３】
【特許文献１】特開２００１−２６５７７７号公報
【発明の概要】
【発明が解決しようとする課題】
【０００４】
しかしながら、特許文献１に記載されるような表示装置であると、いずれかのモードが実行されれば他のモードは実行することができないために、例えばカーソルの移動やスクロールを実行させながら画像の拡大／縮小をする場合には、一度カーソルモードやスクロールモードを解除した後に、ズームモードを実行する必要があり、画像閲覧時の操作がどうしても煩雑なものとなってしまっていた。
【０００５】
本発明の課題は、カーソルの移動や、ズーム、スクロールをより素早く実行させることで、画像閲覧時の操作効率を高めることである。
【課題を解決するための手段】
【０００６】
請求項１記載の表示装置は、
画面上に画像を表示する表示部と、
上下左右それぞれの移動方向を指示する移動方向キー及びズームを指示するズームキーを有するとともに、前記移動方向キーに対する操作に基づいて前記画像をスクロールさせるためのスクロールモード及び前記移動方向キーに対する操作に基づいて前記画像上のカーソルを移動させるためのカーソルモードとを切り替える切替キーを少なくとも有する操作部と、
前記操作部からの指示に基づいて前記表示部を制御する制御部とを備え、
前記制御部は、
前記切替キーによって前記カーソルモードに切り替えられている状態で前記ズームキーが操作されると、前記カーソルの現在位置をズーム中心として前記画像がズームされるように前記表示部を制御し、
前記切替キーによって前記スクロールモードに切り替えられている状態で前記ズームキーが操作されると、前記画面の中心をズーム中心として前記画像がズームされるように前記表示部を制御することを特徴としている。
【０００７】
請求項２記載の発明は、請求項１記載の表示装置において、
前記制御部は、
前記スクロールモード時には前記カーソルが非表示となるように前記表示部を制御し、
前記カーソルモード時には前記カーソルが表示されるように前記表示部を制御することを特徴としている。
【０００８】
請求項３記載の発明は、請求項１又は２記載の表示装置において、
前記制御部は、
前記カーソルモード時には前記画面上の画像表示領域以外に前記カーソルが移動しようとすると、当該移動に基づいて前記画像がスクロールするように、前記表示部を制御することを特徴としている。
【０００９】
請求項４記載の発明は、請求項１〜３の何れか１項に記載の表示装置において、
前記制御部は、
前記カーソルモード時に前記ズームキーが操作されると、前記画像がスクロールして前記カーソルの現在位置が前記画面の中心となってから前記画像がズームされるように、前記表示部を制御することを特徴としている。
【００１０】
請求項５記載の発明は、請求項１〜３の何れか１項に記載の表示装置において、
前記制御部は、
前記カーソルモード時に前記ズームキーが複数回操作されると、各操作毎に前記画像がズームされるとともに、当該ズーム毎に徐々に前記画像がスクロールして前記カーソルの現在位置が前記画面の中心となるように、前記表示部を制御することを特徴としている。
【００１１】
請求項６記載の発明は、請求項１〜３の何れか１項に記載の表示装置において、
前記制御部は、
前記カーソルモード時に前記ズームキーが操作されると、前記画像のスクロール及び前記カーソルの移動を禁止してから前記画像が前記カーソルを中心にしてズームされるように、前記表示部を制御することを特徴としている。
【００１２】
請求項７記載の発明は、請求項１〜６の何れか１項に記載の表示装置において、
前記制御部は、
前記スクロールモード時に前記切替キーが操作されて前記カーソルモードに切り替えられると、前記カーソルが前記画面の中心に表示されるように前記表示部を制御することを特徴としている。
【００１３】
請求項８記載の発明は、請求項１〜６の何れか１項に記載の表示装置において、
前記制御部は、
前記カーソルモード時に前記切替キーが操作されて前記スクロールモードに切り替えられた際の前記カーソルが位置する前記画面上の座標を記憶し、
前記スクロールモード時に前記切替キーが操作されて前記カーソルモードに切り替えられると、記憶している前記座標上に前記カーソルが表示されるように、前記表示部を制御することを特徴としている。
【００１４】
請求項９記載の発明は、請求項１〜６の何れか１項に記載の表示装置において、
前記制御部は、
前記カーソルモード時に前記切替キーが操作されて前記スクロールモードに切り替えられた際の前記カーソルが位置する前記画像上の座標を記憶し、
前記スクロールモード時に前記切替キーが操作されて前記カーソルモードに切り替えられると、記憶している前記画像上の座標が前記画面内に収まっているか否かを判断し、収まっている場合には前記座標上に、収まっていない場合には、前記画面内で前記座標に最も近い座標上に、前記カーソルが表示されるように前記表示部を制御することを特徴としている。
【００１５】
請求項１０記載の発明は、請求項１〜９の何れか１項に記載の表示装置において、
前記制御部は、
前記スクロールモード時に前記ズームキーが操作された直前に前記移動方向キーが操作されていた場合には、前記画面の中心から前記移動方向キーの操作に対応する方向にずらした位置をズーム中心として前記画像がズームされるように前記表示部を制御することを特徴としている。
【００１６】
請求項１１記載の発明は、請求項１〜１０の何れか１項に記載の表示装置において、
前記ズームキーは、ズームイン及びズームアウトの指示を入力可能であることを特徴としている。
【００１７】
請求項１２記載の発明の投影装置は、
請求項１〜１１の何れか１項に記載の表示装置と、
前記表示装置の前記画面となるマイクロミラー素子と、
前記マイクロミラー素子に対して光を照射することで、前記マイクロミラー素子上の画像を投影する投影部とを備えることを特徴としている。
【００１８】
請求項１３記載の発明の表示方法は、
上下左右それぞれの移動方向を指示する移動方向指示及びズームを指示するズーム指示、前記移動指示に基づいて前記画像をスクロールさせるためのスクロールモード及び前記移動指示に基づいて前記画像上のカーソルを移動させるためのカーソルモードを切り替える切替指示が入力される操作工程と、
前記操作工程からの入力内容に基づいて画面上に画像を表示する表示工程とを備え、
前記表示工程は、
前記操作工程により前記カーソルモードに切り替えられている状態で前記ズーム指示が入力されると、前記カーソルの現在位置をズーム中心として前記画像をズームする第１ズーム工程と、
前記操作工程により前記スクロールモードに切り替えられている状態で前記ズーム指示が入力されると、前記画面の中心をズーム中心として前記画像をズームする第２ズーム工程とを備えることを特徴としている。
【００１９】
請求項１４記載の発明のプログラムは、
上下左右それぞれの移動方向を指示する移動方向指示及びズームを指示するズーム指示、前記移動指示に基づいて前記画像をスクロールさせるためのスクロールモード及び前記移動指示に基づいて前記画像上のカーソルを移動させるためのカーソルモードを切り替える切替指示が入力される操作ステップと、
前記操作ステップからの入力内容に基づいて画面上に画像を表示する表示ステップとを備え、
前記表示ステップは、
前記操作ステップにより前記カーソルモードに切り替えられている状態で前記ズーム指示が入力されると、前記カーソルの現在位置をズーム中心として前記画像をズームする第１ズームステップと、
前記操作ステップにより前記スクロールモードに切り替えられている状態で前記ズーム指示が入力されると、前記画面の中心をズーム中心として前記画像をズームする第２ズームステップとを備えることを特徴としている。
【発明の効果】
【００２０】
本発明によれば、カーソルモード時にズームキーが操作されるとカーソルの現在位置をズーム中心として画像がズームされるとともに、スクロールモード時にズームキーが操作されると、画面の中心をズーム中心として画像がズームされるので、カーソルモードやスクロールモードを一度解除しなくとも画像をズームすることが可能となる。これにより、カーソルの移動や、ズーム、スクロールをよりスムーズに実行することができ、画像閲覧時の操作効率が高められることになる。
【図面の簡単な説明】
【００２１】
【図１】本実施形態の投影装置としてのプロジェクタ装置の外観構成を示す斜視図である。
【図２】図１のプロジェクタ装置に備わるインジケータのキー配列等を表す説明図である。
【図３】図１のプロジェクタ装置に備わるリモートコントローラのキー配列等を表す説明図である。
【図４】図１のプロジェクタ装置の電子回路の機能構成を表すブロック図である。
【図５】図１のプロジェクタ装置に備わる表示装置、マイクロミラー素子及び投影部の具体的な概略構成を表すブロック図である。
【図６】図１のプロジェクタ装置で表示されるカーソル、スクロールポインタの一例を表す説明図である。
【図７】本実施形態のプロジェクタ装置１０で実行されるプログラムの一例を表すフローチャートである。
【発明を実施するための形態】
【００２２】
以下、図面を参照しつつ、本発明に係る実施形態について説明する。まず、本実施形態の投影装置の概要について説明する。投影装置には、マイクロミラー素子と、マイクロミラー素子に対して光を照射することで、マイクロミラー素子上の画像を投影する投影部と、マイクロミラー素子を画面として当該画面上に画像を表示する表示装置とが備えられている。表示装置には、画面上に画像を表示する表示部と、上下左右それぞれの移動方向を指示する移動方向キー及びズームを指示するズームキーを有するとともに、移動方向キーに対する操作に基づいて画像をスクロールさせるためのスクロールモード及び移動方向キーに対する操作に基づいて画像上のカーソルを移動させるためのカーソルモードとを切り替える切替キーを少なくとも有する操作部と、操作部からの指示に基づいて表示部を制御する制御部とが備えられている。制御部は、切替キーによってカーソルモードに切り替えられている状態でズームキーが操作されると、カーソルの現在位置をズーム中心として画像がズームされるように表示部を制御する。また、切替キーによってスクロールモードに切り替えられている状態でズームキーが操作されると、制御部は、画面の中心をズーム中心として画像がズームされるように表示部を制御する。これにより、カーソルモードやスクロールモードを一度解除しなくとも画像をズームすることが可能となる。
【００２３】
以下、具体的に本実施形態の投影装置について説明する。図１は投影装置としてのプロジェクタ装置の外観構成を示すものであり、（ａ）はプロジェクタ装置の上側を表す斜視図であり、（ｂ）はプロジェクタ装置の下側を表す斜視図である。
【００２４】
図１に示すように、プロジェクタ装置１０は、直方体状の本体ケーシング１１の前面に、投影レンズ１２、２対の測距レンズ１３ａ，１３ｂ，１３ｃ，１３ｄ及びＩｒ送受信部１４が配設されている。
【００２５】
投影レンズ１２は、後述するマイクロミラー素子等の空間的光学変調素子で形成された光像を投影するためのものであり、ここでは合焦位置およびズーム位置（投影画角）を任意に可変できるものとする。
【００２６】
２対の測距レンズ１３ａ，１３ｂ，１３ｃ，１３ｄのうち、一対の測距レンズ１３ａ，１３ｂは上下方向に沿って配設されていて、他の一対の測距レンズ１３ｃ，１３ｄは水平方向に沿って配設されている。これらの測距レンズ１３ａ，１３ｂ，１３ｃ，１３ｄは、それぞれ後述する位相差センサ１３１，１３２の一部を構成するものであり、被写体像に対するこれら両レンズでの視差から三角測距の原理の基づいて被写体までの距離、具体的には投影画像面までの距離を測距する。
【００２７】
Ｉｒ送受信部１４は、後述するリモートコントローラ４０からのキー操作信号が重畳された赤外線光を受信するとともに、リモートコントローラ４０に対して指示信号を送信する。
【００２８】
また、本体ケーシング１１の上面には、カバー１７及びインジケータ１５が配設されている。
カバー１７は、ここでは図示しない本体サブキーを操作する際に開閉されるようになっている。本体サブキーは、リモートコントローラ４０を使用せずにインジケータ１５のキーでは設定指示できない詳細な各種動作等が操作できるようになっている。
【００２９】
本体ケーシング１１の背面には、入力部１８、Ｉｒ送受信部１９及びＡＣアダプタ接続部２０が配設されている。
【００３０】
入力部１８は、例えばパーソナルコンピュータ等の外部機器との映像入出力の接続のためのＵＳＢ端子、映像入力用のミニＤ−ＳＵＢ端子、Ｓ端子及びＲＣＡ端子と、音声入力用のステレオミニ端子等からなる。この入力部１８には、ＰＣなどの外部機器と接続されていて、外部機器により作成された画像データが入力されるようになっている。
【００３１】
Ｉｒ送受信部１９は、上記Ｉｒ送受信部１４と同様にリモートコントローラ４０からのキー操作信号が重畳された赤外光を受信するとともに、リモートコントローラ４０に対して指示信号を送信する。
【００３２】
ＡＣアダプタ接続部２０には、電源となるＡＣアダプタ（図示省略）からのケーブルが接続される。
【００３３】
また、本体ケーシング１１の下面には、背面側に一対の固定脚部２１，２１が取り付けられるとともに、前面側に高さ調節が可能な調整脚部２２が取り付けられている。
調整脚部２２は、そのネジ回転位置を手動で操作することにより、正確には上記投影レンズ１２の投影方向の垂直方向成分、すなわち仰角を調整するようになっている。
【００３４】
次に、インジケータ１５について図３を参照にして説明する。図３は、インジケータ１５のキー配列等を表す説明図である。図３に示すように、インジケータ１５には、電源キー１５ａ、ズーム（Ｚｏｏｍ）キー１５ｂ、フォーカス（Ｆｏｃｕｓ）キー１５ｃ、「ＡＦＫ」キー１５ｄ、「Ｉｎｐｕｔ」キー１５ｅ、「Ａｕｔｏ」キー１５ｆ、「ｍｅｎｕ」キー１５ｇ、「Ｃｈａｎｇｅ」キー１５ｈ、「ＨＥＬＰ」キー１５ｉ、「Ｅｓｃ」キー１５ｊ、「アップ（↑）」キー１５ｋ、「ダウン（↓）」キー１５ｌ、「レフト（←）」キー１５ｍ、「ライト（→）」キー１５ｎ、及び「Ｅｎｔｅｒ」キー１５ｏと、電源／待機（ｐｏｗｅｒ／ｓｔａｎｄｂｙ）インジケータ１５ｐ、温度（ＴＥＭＰ）インジケータ１５ｑが備えられている。
【００３５】
電源キー１５ａは、電源のオン／オフを指示する。
ズームキー１５ｂは、「△」「▽」の操作によりズームイン（ｔｅｌｅ）及びズームアウト（ｗｉｄｅ）を指示する。
【００３６】
フォーカスキー１５ｃは、「△」「▽」の操作により合焦位置の前方向及び後方向への移動を指示する。
「ＡＦＫ」キー１５ｄは、自動合焦（Ａｕｔｏｍａｔｉｃ  Ｆｏｃｕｓ）等の各種処理の即時実行を指示する。
【００３７】
「Ｉｎｐｕｔ」キー１５ｅは、上記入力部１８のいずれかに入力される画像信号の手動切り替えを指示し、「Ａｕｔｏ」キー１５ｆは、同入力部１８のいずれかに入力される画像信号の自動切り替えを指示する。
【００３８】
「ｍｅｎｕ」キー１５ｇは、投影動作に関する各種メニュー項目の表示を指示する。
「Ｃｈａｎｇｅ」キー１５ｈは、本発明に係る切替キーであり、スクロールモードとズームモードとの切り替えを指示する。
「ＨＥＬＰ」キー１５ｉは、指示操作が不明な場合の各種ヘルプ情報の表示を指示し、「Ｅｓｃ」キー１５ｊはその時点での操作の解除を指示する。
【００３９】
「アップ」キー１５ｋ、「ダウン」キー１５ｌ、「レフト」キー１５ｍ及び「ライト」キー１５ｎは、メニュー項目、ポインタやカーソル等その時点で選択または移動方向を指示する場合に応じて操作される。このように、これらの「アップ」キー１５ｋ、「ダウン」キー１５ｌ、「レフト」キー１５ｍ及び「ライト」キー１５ｎが、上下左右のそれぞれの移動方向を指示する本発明に係る移動方向キーである。
【００４０】
電源／待機インジケータ１５ｐは、電源のオン／オフ状態と画像信号の入力がない状態を例えば緑色と赤色のＬＥＤの点灯／消灯あるいは点滅により表示する。
温度インジケータ１５ｑは、画像投影の光源となるランプの温度が投影に適した状態となっているか否かを例えば緑色と赤色のＬＥＤの点灯／消灯あるいは点滅により表示する。
【００４１】
次に、リモートコントローラ４０について説明する。図４はリモートコントローラ４０のキー配列等を表す説明図である。図４に示すように、リモートコントローラ４０には、インジケータ１５と同様に電源キー４０ａ、ズーム（Ｚｏｏｍ）キー４０ｂ、フォーカス（Ｆｏｃｕｓ）キー４０ｃ、「ＡＦＫ」キー４０ｄ、「Ｉｎｐｕｔ」キー４０ｅ、「Ａｕｔｏ」キー４０ｆ、「ｍｅｎｕ」キー４０ｇ、「Ｃｈａｎｇｅ」キー４０ｈ、「ＨＥＬＰ」キー４０ｉ、「Ｅｓｃ」キー４０ｊ、「アップ（↑）」キー４０ｋ、「ダウン（↓）」キー４０ｌ、「レフト（←）」キー４０ｍ、「ライト（→）」キー４０ｎ及び「Ｅｎｔｅｒ」キー４０ｏとが備えられている。
これら各キーは、それぞれ対応するインジケータ１５の各キーと同様の指示を出力するようになっている。
【００４２】
図４は、プロジェクタ装置１０の電子回路の機能構成を表すブロック図である。この図４に示すように、プロジェクタ装置１０には、画像を表示する表示装置５０と、表示装置５０の画面となるマイクロミラー素子３６と、マイクロミラー素子３６に光を照射することで、マイクロミラー素子３６上の画像を投影する投影部５１とが設けられている。
【００４３】
表示装置５０には、マイクロミラー素子３６上に画像を表示するための表示部５２と、上述のインジケータ１５やリモートコントローラ４０などの本発明に係る操作部と、制御部３９とが設けられている。
【００４４】
表示部５２には、表示エンコーダ３３、ビデオＲＡＭ３４、表示駆動部３５が備えられている。
また、投影部５１には、光源部３７、投影レンズ１２、レンズモータ（Ｍ）３８が備えられている。
【００４５】
図５は、表示装置５０、マイクロミラー素子３６及び投影部５１の具体的な概略構成を表すブロック図である。
光源部３７には、光源ランプ６１と、当該光源ランプ６１からの出射光を前方に集光する方向に反射するリフレクタ６２と、リフレクタ６２の前方に出射した光の輝度分布を均一にするための導光部材６３とが設けられている。
【００４６】
導光部材６３はガラス等からなる透明な角棒体からなっており、その一端が光の入射端とされ、他端が入射端から入射した光の出射端とされている。導光部材６３は、その入射端をリフレクタ６２の出射面に対向させて配置されており、リフレクタ６２の前方に出射した光を入射端から入射させ、その光を内部で反射しながら導いて、均一な輝度分布の光を出射端から出射する。
【００４７】
また光源部３７の出射側に配置されたカラーホイール６４は、モータ６５により低速回転される中心部材６７の周囲にその周方向に並べて複数色のカラーフィルタと当該カラーフィルタのない少なくとも１つの空間部とを設けたものである。カラーホイール６４は、そのホイール面を光源部３７からの出射光の集光点に合わせて、複数の色のカラーフィルタ及び空間部が並ぶ円周の一部が光源部３７から出射光の光路と交差するように配置されている。
【００４８】
マイクロミラー素子３６は、縦横の幅がそれぞれ１０〜２０μｍの極薄金属片からなる表示素子である。マイクロミラー素子はＣＯＭＳをベースとするミラー駆動素子により一方の方向と他方の方向とに傾動されるマイクロミラーにより形成された複数の画素が行方向及び列方向に配列した表示エリアを有しており、正面方向に対して一方の方向に傾いた入射方向から所定の入射角で入射した光を、マイクロミラーの傾き方向の切り替えにより表示の観察方向と他の方向のいずれかに反射し、複数の画素から観察方向への光の出射を制御して画像を表示する。
【００４９】
マイクロミラー素子３６と光源部３７との間には、光源部３７からの出射光を平行に補正してマイクロミラー素子３６に入射させる光源側レンズ７１が配置されている。投影レンズ１２は、マイクロミラー素子３６からの観察方向への出射光をその光束を拡大してスクリーン等の投影面に投影するようになっている。
なお、本実施形態では、光源側レンズ７１と投影レンズ１２とをそれぞれ１枚のレンズで例示しているが、光源側レンズ７１及び投影レンズ１２はそれぞれレンズ収差を小さくするために複数枚のレンズを組み合わせて構成されている。
【００５０】
また、マイクロミラー素子３６を制御する表示駆動部３５は、カラーホイール６４の回転に同期して当該カラーホイールの各色のカラーフィルタが光源部３７からの出射光の光路を通過するときにそのカラーフィルタの色にそれぞれ対応した色成分の単色画像をマイクロミラー素子３６に表示させ、カラーホイール６４の空間部が光源部３７からの出射光の光路を通過するときにマイクロミラー素子３６の複数の画素からの光の出射時間を調整する。
この表示駆動部３５は、カラーホイール制御部６８と、時分割駆動回路６９と、カラーシーケンス制御回路７０とにより構成されている。
【００５１】
カラーホイール制御部６８は、カラーホイール６４を回転させるモータ６５を、時分割駆動回路６９から与えられるタイミング信号に同期して制御するものであり、モータ６５は、カラーホイール制御部６８により制御され、カラーホイール６４を定速回転させる。
【００５２】
時分割駆動回路６９は、カラーシーケンス制御回路７０から送られてくる表示モード信号に従い、カラーホイール制御部６８にタイミング信号を与えるとともに、図示しない外部回路から与えられる赤，緑，青の各色成分の単色画像信号Ｒ，Ｇ，Ｂに基づいてマトリックス演算により白黒画像信号Ｗを生成し、カラーホイール６４の回転に同期して、前記赤，緑，青の各色成分の単色画像信号Ｒ，Ｇ，Ｂと白黒画像信号Ｗとを順次マイクロミラー素子３６に供給する。
【００５３】
すなわち、この時分割駆動回路６９は、カラーホイール６４の回転に同期して、カラーホイール６４のカラーフィルタが光源部３７からの出射光の光路を通過するときに、そのカラーフィルタの色に対応した色成分の単色画像信号Ｒ，Ｇ，Ｂをマイクロミラー素子３６に供給して単色画像を表示させ、カラーホイール６４の空間部が光源部３７からの出射光の光路を通過するときに、白黒画像信号Ｗをマイクロミラー素子３６に供給し、マイクロミラー素子３６の複数の画素からの光の出射を制御する。
【００５４】
さらに、この時分割駆動回路６９は、カラーシーケンス制御回路７０からの表示モード信号に応じてマイクロミラー素子３６への白黒画像信号Ｗの供給時間を調整し、前記画像信号Ｗの供給時間中、マイクロミラー素子３６に前記白黒画像信号Ｗに対応する白黒画像を表示させる。
【００５５】
つまり、時分割駆動回路６９は、カラーホイール６４の空間部が光源部３７からの出射光の光路を通過するときに、マイクロミラー素子３６の複数の画素からの光の出射時間を白黒画像信号Ｗの供給時間により調整する。
【００５６】
なお、この実施形態では上述したように、光源部３７からの出射光を、カラーホイール６４が１回転する間に、緑色光、青色光、赤色光、非着色光の順で変化させるようにしており、したがって時分割駆動回路６９は、マイクロミラー素子３６に対して、緑の単色画像信号、青の単色画像信号、赤の単色画像信号、白黒画像信号を順に供給する。
【００５７】
また、前記カラーシーケンス制御回路７０は、投影型表示装置の使用者により選択される投影画像の明るさを指定するための表示モード信号を時分割駆動回路６９に送出する。
【００５８】
そして、図４に示すように、プロジェクタ装置１０の入力部１８より入力された各種規格の画像信号や、記憶部６０内の資料データによる画像信号は、入出力インタフェース（Ｉ／Ｆ）３１、システムバスＳＢを介して画像変替部３２で所定のフォーマットの画像信号に統一された後に、表示エンコーダ３３へ送られる。
【００５９】
表示エンコーダ３３は、送られてきた画像信号をビデオＲＡＭ３４に展開記憶させた上でこのビデオＲＡＭ３４の記憶内容からビデオ信号を発生して表示駆動部３５に出力する。
【００６０】
表示駆動部３５は、送られてきた画像信号に対応して適宜フレームレート、例えば３０［フレーム／秒］で上記したようにマイクロミラー素子３６を制御する。
【００６１】
上記投影レンズ１２はレンズモータ（Ｍ）３８に駆動されることでズーム位置及びフォーカス位置を適宜移動する。上記各回路のすべての動作制御を司るのが制御部３９である。この制御部３９は、ＣＰＵと、動作プログラムを固定的に記憶したＲＯＭ及びワークメモリとして使用されるＲＡＭ等により構成される。
【００６２】
制御部３９には、システムバスＳＢを介して記憶部６０、音声処理部４１、加速度センサ４２及び測距処理部４３が接続されている。
記憶部６０は、例えばフラッシュメモリ等でなり、プレゼンテーション用の資料の資料データなどの画像データや登録された発表時間などを記憶するもので、制御部３９に指示された画像データを適宜読出して上記表示エンコーダ３３へ送出し、それらの画像を投影レンズ１２により投影表示させる。
【００６３】
音声処理部４１は、ＰＣＭ音源等の音源回路を備え、投影表示動作時に与えられる音声データをアナログ化し、上記スピーカ１６を駆動して拡声放音させる。
加速度センサ４２は、このプロジェクタ装置１０が設置されている状態から移動された場合にその振動を検知して検知信号を制御部３９へ出力する。
【００６４】
測距処理部４３は、測距レンズ１３ａ，１３ｂを有する位相差センサ１３１及び測距レンズ１３ｃ，１３ｄを有する位相差センサ１３２をそれぞれ駆動して、投影された画像中の任意のポイント位置までの距離を測定する。
【００６５】
なお、上記インジケータ１５やリモートコントローラ４０により、キー操作信号が制御部３９に入力されると、当該信号に基づいて制御部３９は各駆動部を制御する。
【００６６】
例えば、「Ｃｈａｎｇｅ」キー１５ｈ，４０ｈからの操作によってカーソルモードに切り替わった場合には、制御部３９は、表示部５２を制御して、例えば図６（ａ）に示すようなカーソルＫ１を画像中に表示させる。そして、カーソルモード時に、「アップ」キー１５ｋ，４０ｋ、「ダウン」キー１５ｌ，４０ｌ、「レフト」キー１５ｍ，４０ｍ及び「ライト」キー１５ｎ，４０ｎが操作されると、当該操作方向に対応してカーソルが画像中を移動するように、制御部３９は表示部５２を制御する。
【００６７】
また、カーソルモード時においては、ズームキー１５ｂ，４０ｂが操作されると、制御部３９は、カーソルの現在位置をズーム中心として画像がズームされるように、表示部５２を制御する。この際、制御部３９は、画像がスクロールしてカーソルの現在位置が画面の中心となってから画像がズームされるように、表示部５２を制御している。
【００６８】
そして、制御部３９は、カーソルモード時に「Ｃｈａｎｇｅ」キー１５ｈ，４０ｈが操作されてスクロールモードに切り替えられた際のカーソルが位置する画面上の座標を記憶し、スクロールモード時に「Ｃｈａｎｇｅ」キー１５ｈ、４０ｈが操作されてカーソルモードに切り替えられると、記憶している座標上にカーソルが表示されるように、表示部５２を制御する。
【００６９】
一方、「Ｃｈａｎｇｅ」キー１５ｈ，４０ｈからの操作によってスクロールモードに切り替わった場合には、制御部３９は、表示部５２を制御して、カーソルＫ１を非表示にさせてから、図６（ｂ）に示すようなスクロールポインタＫ２を表示させる。そして、スクロールモード時に、「アップ」キー１５ｋ，４０ｋ、「ダウン」キー１５ｌ，４０ｌ、「レフト」キー１５ｍ，４０ｍ及び「ライト」キー１５ｎ，４０ｎが操作されると、当該操作方向に対応して画像がスクロールするように、制御部３９は表示部５２を制御する。この際、制御部３９は、図６（ｃ）に示すスクロールポインタＫ３〜Ｋ６のうち、スクロール方向に対応する方向の矢印キーＫ３〜Ｋ６が表示されるように、表示部５２を制御する。
【００７０】
そして、スクロールモード時においては、ズームキー１５ｂ，４０ｂが操作されると、制御部３９は、画面の中心をズーム中心として画像がズームされるように、表示部５２を制御する。
【００７１】
ここで、制御部３９は、スクロールモード時にズームキー１５ｂ，４０ｂが操作された直前に、移動方向キー（「アップ」キー１５ｋ，４０ｋ、「ダウン」キー１５ｌ，４０ｌ、「レフト」キー１５ｍ，４０ｍ及び「ライト」キー１５ｎ，４０ｎ）が操作されていた場合には、画面の中心から移動方向キーの操作に対応する方向にずらした位置をズーム中心として画像がズームされるように表示部５２を制御する。
【００７２】
次に、本実施形態の作用について説明する。図７は、本実施形態のプロジェクタ装置１０で実行される本発明に係るプログラムの一例を表すフローチャートである。このプログラムが実行されることにより、本発明に係る投影方法が実現されることになる。
【００７３】
ステップＳ１では、制御部３９は表示部５２を制御して、初期画像を表示する。
【００７４】
ステップＳ２では、制御部３９は「Ｃｈａｎｇｅ」キー１５ｈ，４０ｈが操作されたか否かを判断し、操作されている場合には切替指示が入力されたとしてステップＳ３に移行して（操作工程、操作ステップ）、操作されていない場合にはステップＳ４０に移行する。
【００７５】
ステップＳ３では、制御部３９は切替前のモードがカーソルモードであるかスクロールモードであるかを判断し、カーソルモードであった場合にはステップＳ４に移行して、スクロールモードであった場合にはステップＳ２０に移行する。
【００７６】
ステップＳ４では、制御部３９はスクロールモードに切り替える。この際、制御部３９は、カーソルが位置する画面上の座標を記憶する。
【００７７】
ステップＳ５では、制御部３９は表示部５２を制御してカーソルＫ１を非表示にさせるとともに、スクロールポインタＫ２を表示させる。
【００７８】
ステップＳ６では、制御部３９は、移動方向キー（「アップ」キー１５ｋ，４０ｋ、「ダウン」キー１５ｌ，４０ｌ、「レフト」キー１５ｍ，４０ｍ及び「ライト」キー１５ｎ，４０ｎ）が操作されたか否かを判断し、操作されている場合にはステップＳ７に移行して、操作されていない場合にはステップＳ８に移行する。
【００７９】
ステップＳ７では、制御部３９は、操作された移動方向に向けて画像がスクロールするように表示部５２を制御する（表示工程、表示ステップ）。
【００８０】
ステップＳ８では、制御部３９は、ズームキー１５ｂ，４０ｂが操作されたか否かを判断し、操作されている場合にはズーム指示が入力されたとしてステップＳ９に移行して（操作工程）、操作されていない場合にはステップＳ２に移行する。
【００８１】
ステップＳ９では、制御部３９は、ズーム中心を決定する。ここで、ズームキー１５ｂ，４０ｂが操作される前に、移動方向キーが操作されていない場合には画面中心をズーム中心として決定し、移動方向キーが操作されていた場合には画面の中心から移動方向キーの操作に対応する方向にずらした位置をズーム中心として決定する。
【００８２】
ステップＳ１０では、制御部３９はズーム指示がズームインである場合にはステップＳ１１に移行して、ズームアウトである場合にはステップＳ１２に移行する。
【００８３】
ステップＳ１１では、制御部３９は、ステップＳ９で決定したズーム中心から画像がズームインされるように表示部５２を制御して、ステップＳ２に移行する。
ステップＳ１２では、制御部３９は、ステップＳ９で決定したズーム中心から画像がズームアウトされるように表示部５２を制御して、ステップＳ２に移行する。
これらステップＳ１１，Ｓ１２が本発明に係る第２ズーム工程、第２ズームステップである。
【００８４】
ステップＳ２０では、制御部３９はカーソルモードに切り替える。
【００８５】
ステップＳ２１では、制御部３９は表示部５２を制御してカーソルＫ１を表示させるとともに、スクロールポインタＫ２を非表示とする。このとき、制御部３９がステップＳ４で予め画面上の座標を記憶している場合にはその座標上にカーソルＫ１を表示させて、記憶していない場合には画面中心にカーソルＫ１を表示させる。
【００８６】
ステップＳ２２では、制御部３９は、移動方向キー（「アップ」キー１５ｋ，４０ｋ、「ダウン」キー１５ｌ，４０ｌ、「レフト」キー１５ｍ，４０ｍ及び「ライト」キー１５ｎ，４０ｎ）が操作されたか否かを判断し、操作されている場合にはステップＳ２３に移行して、操作されていない場合にはステップＳ２４に移行する。
【００８７】
ステップＳ２３では、制御部３９は、操作された移動方向に向けてカーソルＫ１が移動するように表示部５２を制御する（表示工程、表示ステップ）。
【００８８】
ステップＳ２４では、制御部３９は、ズームキー１５ｂ，４０ｂが操作されたか否かを判断し、操作されている場合にはズーム指示が入力されたとしてステップＳ２５に移行して（操作工程、操作ステップ）、操作されていない場合にはステップＳ２に移行する。
【００８９】
ステップＳ２５では、制御部３９は、カーソルの現在位置をズーム中心として決定する。
【００９０】
ステップＳ２６では、制御部３９はズーム指示がズームインであるかズームアウトであるかを判断して、ズームインである場合にはステップＳ２７に移行して、ズームアウトである場合にはステップＳ２８に移行する。
【００９１】
ステップＳ２７では、制御部３９は、ステップＳ２５で決定したズーム中心から画像がズームインされるように表示部５２を制御して、ステップＳ２に移行する。
ステップＳ２８では、制御部３９は、ステップＳ２５で決定したズーム中心から画像がズームアウトされるように表示部５２を制御して、ステップＳ２に移行する。
これらステップＳ２７，Ｓ２８が本発明に係る第１ズーム工程、第１ズームステップである。
【００９２】
ステップＳ４０では、制御部３９は、現在のモードがカーソルモードであるかスクロールモードであるかを判断し、カーソルモードである場合にはステップＳ２２に移行して、スクロールモードである場合にはステップＳ６に移行する。
【００９３】
以上のように、本実施形態によれば、カーソルモード時にズームキー１５ｂ、４０ｂが操作されるとカーソルＫ１の現在位置をズーム中心として画像がズームされるとともに、スクロールモード時にズームキー１５ｂ，４０ｂが操作されると、画面の中心をズーム中心として画像がズームされるので、カーソルモードやスクロールモードを一度解除しなくとも画像をズームすることが可能となる。これにより、カーソルの移動や、ズーム、スクロールをよりスムーズに実行することができ、画像閲覧時の操作効率が高められることになる。
【００９４】
また、スクロールモード時にはカーソルＫ１が非表示となるとともにスクロールポインタＫ２が表示されて、カーソルモード時にはカーソルＫ１が表示されてスクロールポインタＫ２が非表示となるので、画面上を視認すれば現在のモードを認識することができる。
【００９５】
また、カーソルモード時にズームキー１５ｂ，４０ｂが操作されると、画像がスクロールしてカーソルの現在位置が画面の中心となってから画像がズームされるので、ズーム後においてもズーム中心が画面の中心に配置することになって、ズーム後の画像を見えやすくすることができる。
【００９６】
そして、制御部３９は、カーソルモード時に「Ｃｈａｎｇｅ」キー１５ｈ，４０ｈが操作されてスクロールモードに切り替えられた際のカーソルが位置する画面上の座標を記憶し、スクロールモード時に「Ｃｈａｎｇｅ」キー１５ｈ，４０ｈが操作されてカーソルモードに切り替えられると、記憶している座標上にカーソルが表示されるように、表示部を制御するので、従前のカーソルモード時との関連性を印象付けることができる。
【００９７】
また、スクロールモード時にズームキー１５ｂ，４０ｂが操作された直前に移動方向キーが操作されていた場合には、画面の中心から移動方向キーの操作に対応する方向にずらした位置をズーム中心として画像がズームされるので、スクロール後のズームを見た目上違和感なく実現することが可能となる。
【００９８】
ズームキー１５ｂ，４０ｂは、ズームイン及びズームアウトの指示が入力可能であるので、画像の拡大、縮小に対してもスムーズに実行することができる。
【００９９】
なお、本発明は上記実施形態に限らず適宜変更可能であるのは勿論である。
例えば、本実施形態では、フロントプロジェクタとしてのプロジェクタ装置を例示して説明しているが、リアプロジェクタに対しても適用可能である。
また、本実施形態では、投影装置としてのプロジェクタ装置を本発明の表示装置として例示しているが、本発明の構成は、ＰＤＡや、携帯電話、デジタルカメラなどの画像表示可能な装置に対しても適用可能であることはもちろんである。
【０１００】
また、本実施形態では、インジケータ１５やリモートコントローラ４０の各操作キーが押下式のボタンである場合を例示して説明したが、これらの操作キーは例えばレバー式、スライド式のキーであっても適用可能である。
【０１０１】
また、制御部３９は、カーソルモード時には画面上の画像表示領域以外にカーソルＫ１が移動しようとすると、当該移動に基づいて画像がスクロールするように、表示部を制御するようにしてもよい。これにより、カーソルＫ１を移動させることによって画像をスクロールすることが可能となる。
【０１０２】
さらに、制御部３９は、カーソルモード時にズームキー１５ｂ，４０ｂが複数回操作されると、各操作毎に画像がズームされるとともに当該ズーム毎に徐々に画像がスクロールしてカーソルＫ１の現在位置が画面の中心となるように、表示部５２を制御するようにしてもよい。これにより、カーソルの現在位置を画面の中心と移動させる際の見た目上違和感を抑制することが可能となる。
【０１０３】
また、制御部３９は、カーソルモード時にズームキー１５ｂ，４０ｂが操作されると、画像のスクロール及びカーソルＫ１の移動を禁止してから画像がズームされるように、表示部を制御してもよい。これにより、制御処理を極力省略化することができ、制御効率を高めることができる。
【０１０４】
そして、制御部３９は、スクロールモード時に「Ｃｈａｎｇｅ」キー１５ｈ，４０ｈが操作されてカーソルモードに切り替えられると、カーソルＫ１が画面の中心に表示されるように表示部５２を制御してもよい。これにより、カーソルモードの切替後においては常に画面の中心にカーソルＫ１が表示されるためにカーソルの視認性を高めることができる。
【０１０５】
また、制御部３９は、カーソルモード時に「Ｃｈａｎｇｅ」キー１５ｈ，４０ｈが操作されてスクロールモードに切り替えられた際のカーソルが位置する画像上の座標を記憶し、スクロールモード時に「Ｃｈａｎｇｅ」キー１５ｈ，４０ｈが操作されてカーソルモードに切り替えられると、記憶している画像上の座標が画面内に収まっているか否かを判断し、収まっている場合には前記座標上に、収まっていない場合には、画面内で前記座標に最も近い座標上に、カーソルが表示されるように表示部を制御してもよい。これにより、切替前のカーソル位置に最も近い座標にカーソルを表示させることが可能となる。
【０１０６】
なお、本発明は、前述した実施形態に限定されるものではなく、実施段階ではその要旨を逸脱しない範囲で種々に変形させることが可能である。また、前述した実施形態で実行される機能は可能な限り適宜組み合わせて実施してもよい。前述した実施形態には種々の段階の発明が含まれており、開示される複数の構成要件における適宜の組み合わせにより、種々の発明が抽出され得る。例えば実施形態に示される全構成要件から幾つかの構成要件が削除されても、効果が得られるのであれば、この構成要件が削除された構成が発明として抽出され得る。
【符号の説明】
【０１０７】
１０      プロジェクタ装置
１１      本体ケーシング
１２      投影レンズ
１３ａ，１３ｂ，１３ｃ，１３ｄ      測距レンズ
１４      送受信部
１５      インジケータ（操作部）
１５ｂ      ズームキー
１５ｈ      「Ｃｈａｎｇｅ」キー（切替キー）
１５ｌ      「ダウン」キー（移動方向キー）
１５ｍ      「レフト」キー（移動方向キー）
１５ｎ      「ライト」キー（移動方向キー）
１５ｋ      「アップ」キー（移動方向キー）
１６      スピーカ
１７      カバー
１８      入力部
１９      送受信部
２０      アダプタ接続部
２１      固定脚部
２２      調整脚部
３２      画像変替部
３３      表示エンコーダ
３４      ビデオＲＡＭ
３５      表示駆動部
３６      マイクロミラー素子
３７      光源部
３９      制御部
４０      リモートコントローラ（操作部）
４０ｂ      ズームキー
４０ｈ      「Ｃｈａｎｇｅ」キー（切替キー）
４０ｌ      「ダウン」キー（移動方向キー）
４０ｍ      「レフト」キー（移動方向キー）
４０ｎ      「ライト」キー（移動方向キー）
４０ｋ      「アップ」キー（移動方向キー）
４１      音声処理部
４２      加速度センサ
４３      測距処理部
５０      表示装置
５１      投影部
５２      表示部
６０      記憶部
６１      光源ランプ
６２      リフレクタ
６３      導光部材
６４      カラーホイール
６５      モータ
６７      中心部材
６８      カラーホイール制御部
６９      時分割駆動回路
７０      カラーシーケンス制御回路
７１      光源側レンズ
１３１，１３２      位相差センサ
Ｋ１      カーソル
Ｋ２      スクロールポインタ
【図１】
2011204250.tif 000003
【図２】
2011204250.tif 000004
【図３】
2011204250.tif 000005
【図４】
2011204250.tif 000006
【図５】
2011204250.tif 000007
【図６】
2011204250.tif 000008
【図７】
2011204250.tif 000009
【手続補正書】
【提出日】平成23年6月8日(2011.6.8)
【手続補正２】
【補正対象書類名】明細書
【補正対象項目名】０００１
【補正方法】変更
【補正の内容】
【０００１】
本発明は、表示制御装置及びプログラムに係り、特に、カーソル移動機能、ズーム機能、スクロール機能を有した表示制御装置及びプログラムに関する。
【手続補正３】
【補正対象書類名】明細書
【補正対象項目名】０００６
【補正方法】変更
【補正の内容】
【０００６】
請求項１記載の表示制御装置は、
画面上に画像を表示制御する表示制御手段と、
移動方向を指示する移動方向指示手段と、
ズームを指示するズーム指示手段と、
前記移動方向指示手段により指示された方向に前記画像をスクロールさせるためのスクロールモードを設定するスクロールモード設定手段と、
前記移動方向指示手段により指示された方向に前記画面上のカーソルを移動させるためのカーソルモードを設定するカーソルモード設定手段と、
を備え、
前記表示制御手段は、
前記カーソルモードに設定されている状態で前記ズーム指示手段によりズームが指示されると、前記カーソルの現在位置をズーム中心として前記画像がズームされるように表示制御し、
前記スクロールモードに設定されている状態で前記ズーム指示手段によりズームが指示されると、前記画面の中心をズーム中心として前記画像がズームされるように表示制御することを特徴としている。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】変更
【補正の内容】
【００１９】
請求項５記載の発明のプログラムは、
コンピュータにおいて実行可能なプログラムであって、前記コンピュータを、
画面上に画像を表示制御する表示制御手段、
移動方向を指示する移動方向指示手段、
ズームを指示するズーム指示手段、
前記移動方向指示手段により指示された方向に前記画像をスクロールさせるためのスクロールモードを設定するスクロールモード設定手段、
前記移動方向指示手段により指示された方向に前記画面上のカーソルを移動させるためのカーソルモードを設定するカーソルモード設定手段、
として機能させ、
前記表示制御手段は、
前記カーソルモードに設定されている状態で前記ズーム指示手段によりズームが指示されると、前記カーソルの現在位置をズーム中心として前記画像がズームされるように表示制御し、
前記スクロールモードに設定されている状態で前記ズーム指示手段によりズームが指示されると、前記画面の中心をズーム中心として前記画像がズームされるように前記表示制御部を表示制御することを特徴としている。
【手続補正１７】
【補正対象書類名】明細書
【補正対象項目名】００２０
【補正方法】変更
【補正の内容】
【００２０】
本発明によれば、カーソルモード時にズーム指示が操作されるとカーソルの現在位置をズーム中心として画像がズームされるとともに、スクロールモード時にズーム指示が操作されると、画面の中心をズーム中心として画像がズームされるので、カーソルモードやスクロールモードを一度解除しなくとも画像をズームすることが可能となる。これにより、カーソルの移動や、ズーム、スクロールをよりスムーズに実行することができ、画像閲覧時の操作効率が高められることになる。
【手続補正１８】
【補正対象書類名】明細書
【補正対象項目名】００３４
【補正方法】変更
【補正の内容】
【００３４】
次に、インジケータ１５について図２を参照にして説明する。図２は、インジケータ１５のキー配列等を表す説明図である。図２に示すように、インジケータ１５には、電源キー１５ａ、ズーム（Ｚｏｏｍ）キー１５ｂ、フォーカス（Ｆｏｃｕｓ）キー１５ｃ、「ＡＦＫ」キー１５ｄ、「Ｉｎｐｕｔ」キー１５ｅ、「Ａｕｔｏ」キー１５ｆ、「ｍｅｎｕ」キー１５ｇ、「Ｃｈａｎｇｅ」キー１５ｈ、「ＨＥＬＰ」キー１５ｉ、「Ｅｓｃ」キー１５ｊ、「アップ（↑）」キー１５ｋ、「ダウン（↓）」キー１５ｌ、「レフト（←）」キー１５ｍ、「ライト（→）」キー１５ｎ、及び「Ｅｎｔｅｒ」キー１５ｏと、電源／待機（ｐｏｗｅｒ／ｓｔａｎｄｂｙ）インジケータ１５ｐ、温度（ＴＥＭＰ）インジケータ１５ｑが備えられている。
【手続補正１９】
【補正対象書類名】明細書
【補正対象項目名】００４１
【補正方法】変更
【補正の内容】
【００４１】
次に、リモートコントローラ４０について説明する。図３はリモートコントローラ４０のキー配列等を表す説明図である。図３に示すように、リモートコントローラ４０には、インジケータ１５と同様に電源キー４０ａ、ズーム（Ｚｏｏｍ）キー４０ｂ、フォーカス（Ｆｏｃｕｓ）キー４０ｃ、「ＡＦＫ」キー４０ｄ、「Ｉｎｐｕｔ」キー４０ｅ、「Ａｕｔｏ」キー４０ｆ、「ｍｅｎｕ」キー４０ｇ、「Ｃｈａｎｇｅ」キー４０ｈ、「ＨＥＬＰ」キー４０ｉ、「Ｅｓｃ」キー４０ｊ、「アップ（↑）」キー４０ｋ、「ダウン（↓）」キー４０ｌ、「レフト（←）」キー４０ｍ、「ライト（→）」キー４０ｎ及び「Ｅｎｔｅｒ」キー４０ｏとが備えられている。
これら各キーは、それぞれ対応するインジケータ１５の各キーと同様の指示を出力するようになっている。
【手続補正２０】
【補正対象書類名】特許請求の範囲
【補正対象項目名】全文
【補正方法】変更
【補正の内容】
【特許請求の範囲】
【請求項１】
画面上に画像を表示制御する表示制御手段と、
移動方向を指示する移動方向指示手段と、
ズームを指示するズーム指示手段と、
前記移動方向指示手段により指示された方向に前記画像をスクロールさせるためのスクロールモードを設定するスクロールモード設定手段と、
前記移動方向指示手段により指示された方向に前記画面上のカーソルを移動させるためのカーソルモードを設定するカーソルモード設定手段と、
を備え、
前記表示制御手段は、
前記カーソルモードに設定されている状態で前記ズーム指示手段によりズームが指示されると、前記カーソルの現在位置をズーム中心として前記画像がズームされるように表示制御し、
前記スクロールモードに設定されている状態で前記ズーム指示手段によりズームが指示されると、前記画面の中心をズーム中心として前記画像がズームされるように表示制御することを特徴とする表示制御装置。
【請求項２】
請求項１に記載の表示制御装置において、
前記表示制御手段は、
前記カーソルモードに設定されている状態で前記ズーム指示手段によりズームが指示されると、前記画像のスクロール及び前記カーソルの移動を禁止してから前記画像が前記カーソルを中心にしてズームされるように表示制御することを特徴とする表示制御装置。
【請求項３】
請求項１又は２記載の表示制御装置において、
前記表示制御手段は、
前記カーソルモードに設定されている状態で前記スクロールモード設定手段によりスクロールモードに設定された際の前記カーソルが位置する前記画面上の座標を記憶し、
前記スクロールモード時に前記切替指示部が操作されて前記カーソルモードに切り替えられると、記憶している前記座標上に前記カーソルが表示されるように表示制御することを特徴とする表示制御装置。
【請求項４】
請求項１〜３の何れか１項に記載の表示制御装置において、
前記表示制御手段は、
マイクロミラー素子と、
前記マイクロミラー素子に対して光を照射することで、前記マイクロミラー素子上の画像を前記画面上に投影する投影部とを備えることを特徴とする表示制御装置。
【請求項５】
コンピュータにおいて実行可能なプログラムであって、前記コンピュータを、
画面上に画像を表示制御する表示制御手段、
移動方向を指示する移動方向指示手段、
ズームを指示するズーム指示手段、
前記移動方向指示手段により指示された方向に前記画像をスクロールさせるためのスクロールモードを設定するスクロールモード設定手段、
前記移動方向指示手段により指示された方向に前記画面上のカーソルを移動させるためのカーソルモードを設定するカーソルモード設定手段、
として機能させ、
前記表示制御手段は、
前記カーソルモードに設定されている状態で前記ズーム指示手段によりズームが指示されると、前記カーソルの現在位置をズーム中心として前記画像がズームされるように表示制御し、
前記スクロールモードに設定されている状態で前記ズーム指示手段によりズームが指示されると、前記画面の中心をズーム中心として前記画像がズームされるように前記表示制御部を表示制御することを特徴とするプログラム。